(57)【特許請求の範囲】
【請求項１】
光源の周囲に環状に形成された係合溝部を有する本体部と、
一端部と他端部とを有するカバー主部と前記一端部に形成された筒状の取付部とを備え、前記取付部が前記係合溝部に挿入された状態で前記本体部に取り付けられたカバーと
を備え、
前記カバー主部は、
前記一端部に凹部を有すると共に、前記一端部から前記他端部に向かって窄むように形成されており、
前記光源は、
前記カバー主部に覆われており、
前記カバー主部は、さらに、
前記凹部から前記一端部の最下端にかけて凸部を有し、前記一端部の最下端から前記凸部及び前記凹部にかけて、略Ｓ字状の滑らかな曲線を描くように形成されている灯具。
【請求項２】
前記カバー主部は、
前記光源と対向した第１主部と、
前記一端部から前記一端部と前記他端部との中間まで形成された第４主部であって前記凹部及び前記凸部が形成された第４主部と、
前記第４主部から前記第１主部に向かって形成された第３主部と、
前記第３主部と前記第１主部とをつなぐ第２主部と
を備えた請求項１に記載の灯具。
【請求項３】
前記第３主部は、
前記第４主部から前記第２主部に向かう方向に徐々に傾斜した請求項２に記載の灯具。
【請求項４】
前記本体部は、
前記係合溝部の周囲に前記一端部と当たっている当接部と、前記当接部から窄むように形成された外周部とを有し、
前記一端部の径は、前記当接部の径より小さい請求項１から請求項３のいずれか１項に記載の灯具。
【請求項５】
前記灯具は、
前記本体部において前記カバーの反対側に配置された口金を有し、
前記カバー主部の高さ寸法は、前記口金が配置された前記本体部において前記当接部から前記口金の先端部までの高さ寸法の９０％以上である請求項４に記載の灯具。
【請求項６】
請求項１から請求項５のいずれか１項に記載の灯具と、前記灯具が直脱自在に取り付けられた照明器具とを備えた照明装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ：発光ダイオード）を用いた灯具、灯具に用いられるカバー、灯具を用いた照明装置に関する。特に、ダウンライト装置に装着する電球形ランプである灯具に関する。
【背景技術】
【０００２】
従来、電球形蛍光ランプを装着して使用するダウンライト装置及びダウンライト装置に装着される電球形蛍光ランプが開示されている。特許文献１には、スパイラルタイプの電球形蛍光ランプを側方に向けて装着するダウンライト装置が開示されている。また、特許文献２及び３には、発光管が長尺方向に沿って配置され、スパイラルタイプよりもスリムである電球形蛍光ランプが開示されている。
【０００３】
また、従来、電球形蛍光ランプを電球形ＬＥＤランプに置き換えて使用するダウンライト装置が開示されている。特許文献４には、ダウンライト装置に装着されたＴ形の電球形ＬＥＤランプが開示されている。特許文献４で開示されている電球形ＬＥＤランプは、所謂ミニクリプトン電球のような小型電球タイプの態様である。
【先行技術文献】
【特許文献】
【０００４】
【特許文献１】特開２０１１−１９８５２５号公報
【特許文献２】特開２００７−１１５６５８号公報
【特許文献３】特開２０１１−１８１２５６号公報
【特許文献４】特開２０１３−０５５０４３号公報
【発明の概要】
【発明が解決しようとする課題】
【０００５】
特許文献４の技術を、Ｅ２６口金が用いられる一般電球タイプの電球形ＬＥＤランプに適用した場合、コスト高となり採算性が悪い。また、コスト削減を図ることができるカバーの開口近傍に光源を配置した電球形ランプでは、光の取り出し効率が悪いという課題がある。
【０００６】
本発明は、ダウンライト装置への装着性の改善を最少のコスト負担で実現し得ると共に、光の取り出し効率を向上させた電球形ランプである灯具を提供することを目的とする。
【課題を解決するための手段】
【０００７】
本発明に係る灯具は、光源の周囲に環状に形成された係合溝部を有する本体部と、一端部と他端部とを有するカバー主部と前記一端部に形成された筒状の取付部とを備え、前記取付部が前記係合溝部に挿入された状態で前記本体部に取り付けられたカバーとを備え、前記カバー主部は、前記一端部に凹部を有すると共に、前記一端部から他端部に向かって窄むように形成されている。
【発明の効果】
【０００８】
本発明に係る灯具によれば、カバー主部が、光源近傍の一端部に凹部を有すると共に、一端部から他端部に向かって窄むように形成されているので、光の取り出し効率を向上させた灯具を提供することができるという効果を奏する。
【図面の簡単な説明】
【０００９】
【図１】実施の形態１に係る灯具１００の分解斜視図。
【図２】実施の形態１に係る灯具１００の斜視図であり、（ａ）が口金１の側から見た斜視図、（ｂ）がカバー４の側から見た斜視図。
【図３】実施の形態１に係る灯具１００を示す図であり、（ａ）が平面図、（ｂ）が底面図。
【図４】実施の形態１に係る灯具１００を示す図であり、（ａ）が正面図、（ｂ）が側面図、（ｃ）が（ａ）のＡ−Ａ断面図。
【図５】実施の形態１に係る絶縁部２の斜視図であり、（ａ）が上方から見た斜視図、（ｂ）が下方から見た斜視図。
【図６】実施の形態１に係る絶縁部２を示す図であり、（ａ）が平面図、（ｂ）が底面図。
【図７】実施の形態１に係る絶縁部２を示す図であり、（ａ）が正面図、（ｂ）が側面図、（ｃ）が（ａ）のＪ−Ｊ断面図、（ｄ）が（ｂ）のＫ−Ｋ断面図。
【図８】実施の形態１に係る本体部３を示す図であり、（ａ）は上部から見た斜視図、（ｂ）は下部から見た斜視図。
【図９】実施の形態１に係る本体部３を示す図であり、（ａ）が平面図、（ｂ）が底面図。
【図１０】実施の形態１に係る本体部３を示す図であり、（ａ）が正面図、（ｂ）が図９の（ｃ）のＥ−Ｅ断面図、（ｃ）が図９の（ａ）のＤ−Ｄ断面図。
【図１１】実施の形態１に係る本体部３を示す図であり、（ａ）が図１０の（ｂ）のＡ部拡大図、（ｂ）が図１０の（ｃ）のＢ部拡大図。
【図１２】実施の形態１に係る本体部３を示す図であり、（ａ）が図１１の（ａ）の斜視図、（ｂ）が図１１の（ｂ）の斜視図。
【図１３】実施の形態１に係るカバー４の斜視図である。
【図１４】実施の形態１に係るカバー４を示す図であり、（ａ）が平面図、（ｂ）が底面図。
【図１５】実施の形態１に係るカバー４を示す図であり、（ａ）が正面図、（ｂ）が側面図、（ｃ）が（ａ）のＢ−Ｂ断面図、（ｄ）が（ｂ）のＣ−Ｃ断面図。
【図１６】実施の形態１に係るカバー４を示す図であり、図１３のＣ部拡大斜視図。
【図１７】実施の形態１に係る本体部３とカバー４との取付け構造を示す図であり、（ａ）が挿入切欠き部３５に係合突起部４６を挿入する状態を示す図、（ｂ）が挿入切欠き部３５に係合突起部４６を挿入した状態を示す図。
【図１８】実施の形態１に係る本体部３とカバー４との取付け構造を示す図であり、挿入切欠き部３５に係合突起部４６を挿入した後にカバー４を回転した状態を示す図。
【図１９】実施の形態２に係る灯具１００の部分拡大断面図。
【図２０】実施の形態３に係る灯具１００ａの斜視図であり、（ａ）が口金１の側から見た斜視図、（ｂ）がカバー４ａの側から見た斜視図。
【図２１】実施の形態３に係る灯具１００ａの部分断面図と、部分断面図のＤ部拡大図。
【図２２】実施の形態４に係る灯具１００ｂの斜視図であり、（ａ）が口金１の側から見た斜視図、（ｂ）がカバー４ｂの側から見た斜視図。
【図２３】実施の形態４に係る灯具１００ｂの部分断面図と、部分断面図のＥ部拡大図。
【図２４】実施の形態５に係る灯具１００ｃの斜視図であり、（ａ）が口金１の側から見た斜視図、（ｂ）がカバー４ａの側から見た斜視図。
【図２５】実施の形態５に係る灯具１００ｃの部分断面図と、部分断面図のＦ部拡大図である。
【図２６】実施の形態６に係る灯具１００ｄの斜視図であり、（ａ）が口金１の側から見た斜視図、（ｂ）がカバー４ｂの側から見た斜視図。
【図２７】実施の形態６に係る灯具１００ｄの部分断面図と、部分断面図のＧ部拡大図。
【図２８】実施の形態７に係る灯具１００ａを埋め込みタイプの照明器具２０００に装着した照明装置３０００を示す図。
【図２９】実施の形態８に係る灯具１００ａを、実施の形態７とは異なる埋め込みタイプの照明器具２０００ａに装着した照明装置３０００ａを示す図。
【発明を実施するための形態】
【００１０】
以下、本発明の実施の形態について、図を用いて説明する。なお、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった方向あるいは位置が示されている場合、それらの表記は、説明の便宜上、そのように記載しているだけであって、装置、器具、部品等の配置や向き等を限定するものではない。
【００１１】
実施の形態１．
＊＊＊構成の説明＊＊＊
図１は、本実施の形態に係る灯具１００の分解斜視図である。
図２は、本実施の形態に係る灯具１００の斜視図であり、（ａ）が口金１の側から見た斜視図、（ｂ）がカバー４の側から見た斜視図である。
図３は、本実施の形態に係る灯具１００を示す図であり、（ａ）が平面図、（ｂ）が底面図である。
図４は、本実施の形態に係る灯具１００を示す図であり、（ａ）が正面図、（ｂ）が側面図、（ｃ）が（ａ）のＡ−Ａ断面図である。
【００１２】
灯具１００は、口金１と、絶縁部２と、本体部３と、カバー４と、電源部５と、光源部６とを有する。
図１に示すように、灯具１００の中心軸を軸Ｏとする。
軸Ｏと平行な方向を軸方向あるいは矢印Ｚの方向（Ｚ方向）という。軸方向の一端とは、図４の（ａ）において、上部をいう。軸方向の他端とは、図４の（ａ）において、下部をいう。
灯具１００の上部側への向きを、上方あるいは発光向きという。また、灯具１００の下部側への向きを、下方あるいは発光向きの反対向きという。なお、光源が発する光の向きを発光向きという。
軸Ｏと直交する方向を径方向という。図３に示すように、矢印Ｘの方向（Ｘ方向）、矢印Ｙの方向（Ｙ方向）は径方向の一例である。また、軸Ｏの周囲を回転する方向を周方向という。
【００１３】
本実施の形態における灯具１００は、具体的には、ＬＥＤを光源として用い、カバー４を除く外形が一般照明用白熱電球（エジソン電球）と略同一のフォルムをなす特徴を有する電球形ランプである。
【００１４】
＜口金１の説明＞
口金１は、本体部３においてカバー４の反対側に配置される。口金１は、ネジ部１０が絶縁部２の下部のネジ部２１０にねじ込まれ、絶縁部２に取り付けられる。
図１から図４に示すように、口金１は、絶縁部２のネジ部２１０にねじ込まれるネジ部１０、口金１の下端部のアイレット部１２を有する。口金１は、後述する照明器具２０００のソケット２００４から受電する受電部ともいう。また、口金１は、灯具１００の外郭部としての機能を有する。
【００１５】
＜絶縁部２の説明＞
図５は、本実施の形態に係る絶縁部２の斜視図であり、（ａ）が上方から見た斜視図、（ｂ）が下方から見た斜視図である。
図６は、本実施の形態に係る絶縁部２を示す図であり、（ａ）が平面図、（ｂ）が底面図である。
図７は、本実施の形態に係る絶縁部２を示す図であり、（ａ）が正面図、（ｂ）が側面図、（ｃ）が（ａ）のＪ−Ｊ断面図、（ｄ）が（ｂ）のＫ−Ｋ断面図である。
【００１６】
図１から図７を用いて、絶縁部２について説明する。
絶縁部２は、樹脂などの電気絶縁性を備えた材料を用いて形成される。
絶縁部２は、絶縁筐体、樹脂筐体、内部筐体、ハウジングともいう。
絶縁部２は、射出成形法の他、付加製造技術（Ａｄｄｉｔｉｖｅ  Ｍａｎｕｆａｃｔｕｒｉｎｇ  Ｔｅｃｈｎｏｌｏｇｙ；一般に、３Ｄプリンターとも称される）を用いて形成されてもよい。
なお、本実施の形態における絶縁部２のうち蓋部２６は、電気絶縁性を備えた材料をシート状に成形されたものを抜型、カッターなどを用いて形成される。
【００１７】
絶縁部２は、外周部２１と内周部２２とを有する筒状の筒部２０と、筒部２０の上部を塞ぐ蓋部２６とを有する。
筒部２０及び蓋部２６は、樹脂などの絶縁材により形成される。
【００１８】
筒部２０の外周部２１の下部には、口金１がねじ込まれるネジ部２１０が形成される。
ネジ部２１０の外周にはネジが切られている。
絶縁部２は、ネジ部２１０の下端部、すなわち口金１の側に下部開口を形成する第１開口端部２４と、筒部２０の上端部、すなわち光源部６の側に上部開口を形成する第２開口端部２５とを有する。
第１開口端部２４から第２開口端部２５までは連通する。
なお、筒部２０の外周部２１の下部は、口金１が固定可能な構造であればネジ部２１０以外の形で形成されてもよい。
【００１９】
図５に示すように、筒部２０の外周部２１には、絶縁部２を本体部３に挿入する際のガイドとなる挿入ガイド凸部２１２と、本体部３の下部に係止される鍔部２１１とを備える。挿入ガイド凸部２１２は、後述するリブ２３の外側に形成される。
図４の（ａ），（ｂ），（ｃ）に示すように、本体部３と口金１の間には、絶縁部２の鍔部２１１が露出する。
鍔部２１１は、外周部２１とネジ部２１０との境界に、外周部２１から環状に突き出して形成される。鍔部２１１は灯具１００の外殻部である。
図４の（ａ），（ｂ）に示すように、鍔部２１１は、灯具１００の高い器具装着性と意匠性とを実現するために、ネジ部２１０側の下端部と上端部との間は曲面で形成される。
【００２０】
ネジ部２１０の下端の周縁、すなわち第１開口端部２４には、口金１のネジ部１０に接続される第１電線を通過させる通線凹部２４０が形成される。通線凹部２４０は、図７の（ｃ）に示すように幅Ｗ３４で第１開口端部２４を切り欠いて形成される。また、鍔部２１１の下端部には、この第１電線の端部を配置するための電線配置溝２１３が形成される。ここでは、第１電線の図示を省略する。
【００２１】
第２開口端部２５には、光源部６及び蓋部２６をネジ止めするためのネジ孔２５１が形成された第１凸部２５０が設けられる。第１凸部２５０はボスともいう。
図５の（ａ），（ｂ）に示すように、第１凸部２５０は、第２開口端部２５の略直径上に２つ形成されている。本実施の形態では、２つの第１凸部２５０が、中心軸に対して回転対称に２箇所配置されているが、第１凸部２５０を配置する位置及び数は、上述以外の位置及び数でも構わない。
【００２２】
なお、図６及び図７に示すように、鍔部２１１より上部の筒部２０の最大径Ｗ３１は、鍔部２１１の最大径Ｗ２８よりも若干小さい。また、２つの第１凸部２５０の各中心部の間隔Ｗ１２（図６の（ａ））は、鍔部２１１より上部の筒部２０の最大径Ｗ３１よりも若干小さい。
【００２３】
上述したように、挿入ガイド凸部２１２は、第１凸部２５０から下方に向かって形成されると共に、外周部２１から突出して形成されている。また、リブ２３は、第１凸部２５０から下方に向かって形成されると共に、内周部２２から突出して形成されている。
図５の（ａ）に示すように、第１凸部２５０と挿入ガイド凸部２１２とリブ２３とは、上下方向に延びた円柱状であり、筒部２０の壁部に配置され、壁部の外周部２１から挿入ガイド凸部２１２が突出すると共に壁部の内周部２２からリブ２３が突出する。
【００２４】
第２凸部２５２は、２つの第１凸部２５０の間の第２開口端部２５から上部に突き出すように形成される。図６に示すように、第２凸部２５２は、幅Ｗ２９で上部に突き出ている。第２凸部２５２は、本体部３に対する絶縁部２の回転方向の向きを特定するために配置されており、後述する本体部３の第２凹部３６１に挿入される。
本体部３に対する絶縁部２の回転方向の向きを特定することによって、電源部５と光源部６とを電気的に繋いで光源部６に点灯電力を供給する経路となる第１電線対（不図示）の長さを最短とすることができる。よって、製造コストの削減を図ることができる。また、第１電線対の余長が光を妨げ、影が発生することもない。
【００２５】
蓋部２６は、筒部２０の第２開口端部２５を覆うように取り付けられる。
蓋部２６には、筒部２０の第１凸部２５０を貫通させて位置決めすると共に、ネジを貫通させるネジ貫通部２６０と、電線を貫通させる電線貫通孔２６１とが形成される。
【００２６】
ここで、筒部２０と蓋部２６とからなる絶縁部２は、ＬＥＤを光源として用い、カバー４を除く外形がＪＩＳに定義されている一般照明用白熱電球（エジソン電球）と略同一のフォルムを有する電球形ランプにも用いることができるように形成されている。
【００２７】
＜電源部５の説明＞
電源部５は、筒状の絶縁部２の内部に収納される。
電源部５は、外部電力を入力とし、光源を点灯させる電源を光源部６に供給する。
電源部５は、点灯回路基板５０を有する。点灯回路基板５０には、点灯回路部品５１が実装される。
口金１と電源部５とは、第１電線対により電気的に接続される。第１電線対は、電源部５に外部電力を供給する経路となる。ここでは、第１電線対の図示は省略する。
また、電源部５と光源部６とは、第２電線対により電気的に接続される。第２電線対は、光源部６に点灯電力を供給する経路となる。ここでは、第２電線対の図示は省略する。
なお、点灯回路基板５０の枚数は１枚でなくてもよい。点灯回路基板５０は、複数に分割されてもよいものとする。
【００２８】
ここで、点灯回路基板５０と点灯回路部品５１とからなる電源部５は、ＬＥＤを光源として用い、カバー４を除く外形がＪＩＳに定義されている一般照明用白熱電球（エジソン電球）と略同一のフォルムを有する電球形ランプにも用いることができるように形成されている。
【００２９】
＜光源部６の説明＞
光源部６は、後述する本体部３の光源配置部３０に取り付けられる。
光源部６は、光源回路基板６０と、光源回路基板６０の実装面である実装部６１に実装される光源素子６７とを備える。光源素子６７は、具体的には、ＬＥＤである。また、光源回路基板６０には、ネジ貫通孔６５が形成され、ネジ７を用いて本体部３に取り付けられる。光源部６は、光源回路基板６０の実装部６１の裏面である熱伝達部６２と光源配置部３０とが当接した状態で、光源配置部３０に固定される。
また、光源回路基板６０には、電源部５に接続された電線を挿通させる電線挿通孔６６が形成される。
なお、図１は灯具１００の下部から見た斜視図であるため実際には光源素子６７を目視できないので、光源素子６７の位置を点線にて示している。
光源素子６７は、できるだけ光源回路基板６０の実装部６１の周縁近傍に配置される。このように配置することにより、口金１の側への配光を向上させることができる。例えば、広配光の灯具１００を実現できる。例えば、灯具１００は、全配光（広配光）特性２２０°を実現することができる。
【００３０】
図１に示すように、ネジ７は、光源回路基板６０のネジ貫通孔６５、光源配置部３０のネジ貫通孔３２、蓋部２６のネジ貫通部２６０を貫通し、絶縁部２の第１凸部２５０に設けられたネジ孔２５１にねじ込まれる。このネジ７により、光源部６、本体部３、絶縁部２の蓋部２６及び筒部２０を一体に固定する。
なお、ネジ７の他にリベット、粘着テープ、接着剤などを用いて、光源回路基板６０を光源配置部３０に取り付けてもよい。粘着テープ、接着剤などにより光源回路基板６０を光源配置部３０に取り付ける場合は、本体部３、絶縁部２の蓋部２６及び筒部２０を他のネジにより一体に固定する必要がある。
【００３１】
ここで、光源回路基板６０と光源素子６７とからなる光源部６は、カバー４を除く外形がＪＩＳに定義されている一般照明用白熱電球（エジソン電球）と略同一のフォルムを有する電球形ランプにも用いることができるように形成されている。そして、ネジ７により、光源部６、本体部３、絶縁部２の蓋部２６及び筒部２０を一体に固定された状態で、カバー４を除く外形がＪＩＳに定義されている一般照明用白熱電球（エジソン電球）と略同一のフォルムを有する電球形ランプにも用いることができる。
【００３２】
＜本体部３の説明＞
図８は、本実施の形態に係る本体部３を示す図であり、（ａ）は上部から見た斜視図、（ｂ）は下部から見た斜視図である。
図９は、本実施の形態に係る本体部３を示す図であり、（ａ）が平面図、（ｂ）が底面図である。
図１０は、本実施の形態に係る本体部３を示す図であり、（ａ）が正面図、（ｂ）が図９の（ｃ）のＥ−Ｅ断面図、（ｃ）が図９の（ａ）のＤ−Ｄ断面図である。
図１１は、本実施の形態に係る本体部３を示す図であり、（ａ）が図１０の（ｂ）のＡ部拡大図、（ｂ）が図１０の（ｃ）のＢ部拡大図である。
図１２は、本実施の形態に係る本体部３を示す図であり、（ａ）が図１１の（ａ）の斜視図、（ｂ）が図１１の（ｂ）の斜視図である。
【００３３】
図１〜図４及び図８〜図１２を用いて、本体部３の構成について説明する。
本体部３は、光源部６が配置される光源配置部３０と、光源配置部３０の周囲に環状に形成された係合溝部３４とを有する。すなわち、本体部３は、光源部６の周囲に環状に形成された係合溝部３４を有する。
【００３４】
光源配置部３０は、本体部３の上面部であり、光源回路基板６０の裏面である熱伝達部６２から光源配置部３０に対して熱伝達可能に当接した状態で、光源部６が取り付けられる。ここで、当接は、光源配置部３０と熱伝達部６２との間に熱伝導性の樹脂材料（不図示）などが介在した態様を含む。樹脂材料は接着機能を備えてもよい。
また、本体部３は、絶縁部２を内部に収納する筒部３７を備える。筒部３７の下部の開口端部３７６から絶縁部２が挿入される。筒部３７は灯具１００の外郭部の機能を有する。
図８の（ａ），（ｂ）に示すように、本体部３は、係合溝部３４の周囲に、後述するカバー主部４０の一端部４４１の最下端である下端部４４と当たる上面部３４７（当接部）と、上面部３４７から窄むように形成された外周部３７３とを有する。
図１１の（ａ），（ｂ）に示すように、光源配置部３０は、筒部３７の上面部３４７の周縁である上面縁部３４６よりＬ１２だけ下方に下がった位置に形成されている。これにより、光源部６が光源配置部３０に取り付けられた場合に、光源素子６７が上面部３４７と略同一面上に位置し、灯具１００の配光特性を向上させる。なお、所望の配光特性を得ることができれば、光源配置部３０は、筒部３７の上面部３４７の周縁である上面縁部３４６と同一面上に設けられていてもよいし、上面縁部３４６より高い位置に設けられていても構わない。
【００３５】
筒部３７は、上面縁部３４６から下方に向かって曲率Ｒ４で内側に窄んだ第１錐状部３７０と、第１錐状部３７０から下方に形成された第２錐状部３７１と、第２錐状部３７１から下方に形成された第３錐状部３７２とを備える。
第１錐状部３７０において曲率Ｒ４で窄んだ形状は、後述するカバー４の第４主部４８と同じ曲率Ｒ４で窄んでいる。第１錐状部３７０とカバー４の第４主部４８とは、上面縁部３４６を基準に上限方向のバランスが考慮された曲面を構成し、意匠性に優れた外観を提供する。
第２錐状部３７１は、窄んだり膨らんだりせずに、徐々に縮径した形状である。
第３錐状部３７２は、曲率Ｒ３で外側に膨らんだ形状である。第３錐状部３７２は、絶縁部２の鍔部２１１と連続して滑らかな曲面をなす。
筒部３７の下端部、すなわち第３錐状部３７２の下端部は、開口端部３７６となる。
【００３６】
筒部３７は、外周面である外周部３７３と、内周面である内周部３７４とを備える。
内周部３７４には、凹みである挿入ガイド凹部３７５が形成される。挿入ガイド凹部３７５は、絶縁部２の挿入ガイド凸部２１２と係合して、絶縁部２における筒部３７への挿入をガイドする。
外周部３７３は、全体として、上部から下部にかけて滑らかな曲面を成している。
【００３７】
本体部３は、熱伝導性を有する金属などの材料で形成され、外部筐体、熱伝導筐体、放熱部、ヒートシンクともいう。
本体部３は、灯具１００の外殻部として安定して形態を維持させる機能、及び、光源部６の光源素子６７から発せられる動作熱を灯具１００の外部へ放散させる機能を備える。本体部３の材質は、材料コストや成型性を優先するとアルミニウム、チタンなどの金属材料が望ましい。あるいは、これらの金属を含む合金材料、熱伝導性のフィラーが混合された樹脂材料、セラミックなどを用いることができる。
また、本体部３は、射出成形法、切削法の他、付加製造技術（Ａｄｄｉｔｉｖｅ  Ｍａｎｕｆａｃｔｕｒｉｎｇ  Ｔｅｃｈｎｏｌｏｇｙ）を用いて形成されてもよい。
【００３８】
光源配置部３０は、光源部６の光源回路基板６０と当接する光源配置面部３１を有する。
光源配置部３０には、光源部６が取り付けられた場合に、光源回路基板６０のネジ貫通孔６５と連通するネジ貫通孔３２と、光源回路基板６０の電線挿通孔６６と連通する電線貫通孔３３とが形成される。
光源回路基板６０のネジ貫通孔６５及び電線挿通孔６６の形、光源配置部３０のネジ貫通孔３２及び電線貫通孔３３の形は、図１、図８の形でなくてもよく、他の形でも構わない。
【００３９】
図１０の（ｂ），（ｃ）に示すように、筒部３７の内部は空洞部３７８となっている。空洞部３７８には、内部に電源部５が収納された絶縁部２が配置される。
図１１の（ａ）に示すように、空洞部３７８を形成する上面である内面部３６には、絶縁部２の第１凸部２５０が嵌まり込む第１凹部３６０が形成される。第１凸部２５０が第１凹部３６０に嵌った状態で、ネジ貫通孔３２と絶縁部２のネジ孔２５１とが連通する。
また、図１１の（ｂ）に示すように、内面部３６には、絶縁部２の第２凸部２５２が嵌まり込む第２凹部３６１が形成される。第２凸部２５２が第２凹部３６１に嵌ることにより、絶縁部２の回転方向の位置決めをする。
第２凹部３６１の幅Ｗ１３（図１０の（ｂ））は、第２凸部２５２の幅Ｗ２９（図７の（ｂ）（ｃ））より若干広く形成される。
【００４０】
図１１の（ｂ）に示すように、係合溝部３４は、両側の側壁３４９と側壁３４９の底に設けられた底部３４４とを有する。また、係合溝部３４は、底部３４４に対向する位置に開口部３４５を有する。係合溝部３４の深さはＬ１３である。
両側の側壁３４９のうち内側の側壁３４９を側壁内周部３４０とし、外側の側壁３４９を側壁外周部３４１とする。側壁外周部３４１は係合溝部３４の側壁３４９の一例である。側壁外周部３４１の上部には、側壁外周部３４１の上端から外側に開く傾斜を有する第２外周部３４２が形成される。
【００４１】
図１１の（ｂ）に示すように、側壁外周部３４１は、底部３４４から上方に向かって徐々に内側に傾斜するように形成されている。よって、底部３４４の幅Ｗ２７より、開口部３４５の幅Ｗ２６の方が幅Ｗ２５だけ狭く形成されている。
つまり、係合溝部３４は下端部の幅より上端部（開口端部）の幅が若干狭くなっており、係合溝部３４の側壁外周部３４１は、上端部（開口端部）から下端部に向って徐々に外側に広がるように若干傾斜している。
【００４２】
このように、底部３４４の幅Ｗ２７を開口部３４５の幅Ｗ２６よりも広くすることにより、後述するカバー４の係合突起部４６が係合溝部３４から抜けにくくなり、係合溝部３４と係合突起部４６とがより確実に係合するようにしている。
係合溝部３４は二次加工によって全周に形成される。なお、係合溝部３４は係合突起部４６の幅Ｗ９（図１４の（ｂ）参照）以上の寸法であれば部分的に形成されても良い。
【００４３】
図８の（ａ）に示すように、側壁外周部３４１には、側壁外周部３４１の直径上において対向する２箇所に、カバー４の取付部４５が係合溝部３４に挿入される際に係合突起部４６を収容するための挿入切欠き部３５が形成されている。挿入切欠き部３５は、取付部４５が係合溝部３４に挿入される際に側壁３４９において係合突起部４６に対応する位置に形成されている。
【００４４】
また、側壁内周部３４０には、対向する２箇所に、上述したネジ貫通孔３２が形成される。ネジ貫通孔３２は側壁内周部３４０から内側に凹むように形成される。
図８の（ａ）及び図９の（ａ）に示すように、係合溝部３４では、挿入切欠き部３５とネジ貫通孔３２とが対向するように配置される。
【００４５】
挿入切欠き部３５は、側壁外周部３４１が外側に凹むように切り欠かれて形成される。
図１２の（ｂ）示すように、挿入切欠き部３５は、側壁外周部３４１が切り欠かれた部分の最奥部に形成される切欠き外周部３５０と、切り欠かれた部分の側部である切欠き側壁部３５３と、切り欠かれた部分の底部である切欠き底部３５４とを有する。また、切欠き外周部３５０と対向する位置は切欠き開口部３５５となる。
切欠き外周部３５０は、上端より略垂直に形成された第１外周部３５１と、第１外周部３５１の下端から内側に向かって傾斜した第２外周部３５２とを有する。なお、切欠き外周部３５０は、上端より略垂直に形成された第１外周部３５１のみから構成されていてもよい。
【００４６】
以上のように、挿入切欠き部３５は、係合溝部３４の側壁外周部３４１に凹状に形成される。図１１の（ａ）示すように、挿入切欠き部３５の切欠き底部３５４は、係合溝部３４の底部３４４よりも外側にＷ２４だけ広がっている。また、挿入切欠き部３５の幅Ｗ１４は、係合突起部４６の幅Ｗ９より広く形成される（Ｗ１４＞Ｗ９）。
挿入切欠き部３５の数は、収納する係合突起部４６の数以上であればよい。また、挿入切欠き部３５の位置は、収納する係合突起部４６の位置と対応していればよく、図８の（ａ）に示す位置に限らない。
【００４７】
ここで、光源配置部３０と係合溝部３４とを有する本体部３は、ＬＥＤを光源として用い、カバー４を除く外形がＪＩＳに定義されている一般照明用白熱電球（エジソン電球）と略同一のフォルムを有する電球形ランプにも用いることができるように形成されている。詳しくは、外形がＪＩＳに定義されている一般照明用白熱電球（エジソン電球）と略同一のフォルムを有する電球形ランプとするためには、本体部３に取り付けられたカバーの形状を、例えば、第１錐状部３７０と繋がる面を第１錐状部３７０の曲率Ｒ２と同じ曲率Ｒ２で形成して、実施の形態１とは異なる連続した滑らかな曲面とするとよい。
【００４８】
＜カバー４の説明＞
図１３は、本実施の形態に係るカバー４の斜視図である。
図１４は、本実施の形態に係るカバー４を示す図であり、（ａ）が平面図、（ｂ）が底面図である。
図１５は、本実施の形態に係るカバー４を示す図であり、（ａ）が正面図、（ｂ）が側面図、（ｃ）が（ａ）のＢ−Ｂ断面図、（ｄ）が（ｂ）のＣ−Ｃ断面図である。
図１６は、本実施の形態に係るカバー４を示す図であり、図１３のＣ部拡大斜視図である。
【００４９】
図１〜図４及び図１３から図１６を用いて、カバー４の構成について説明する。
カバー４は、光源部６を覆った状態で本体部３に取り付けられる。カバー４は、光透過部、透光部、光拡散部、グローブともいう。
カバー４は、本体部３と比較して熱伝導率が小さい樹脂材料を用いて形成されている。灯具１００は、外殻部に占めるカバー４の割合が比較的大きいため、使用者は灯具１００を照明器具２０００に取り付けたり取り外したりするときにカバー４を握ることが想定される。カバー４が本体部３と比較して熱伝導率が小さい樹脂材料を用いて形成されることにより、使用者が、消灯直後に灯具１００に触れた場合でも不快感を覚えることがない。また、火傷など怪我のリスクも大幅に低減させることができる。
カバー主部４０は、光透過性の材料を含んで形成されている。また、カバー主部４０は、光拡散性の材料、光色変換可能な材料などを含んで形成されていてもよい。
【００５０】
カバー４は、カバー主部４０と、カバー主部４０の一端側である下端部４４と、下端部４４を基準にカバー主部４０と反対側に形成された取付部４５とを備える。
カバー４は、ブロー成形法（中空成形法）、射出成形法の他、付加製造技術（Ａｄｄｉｔｉｖｅ  Ｍａｎｕｆａｃｔｕｒｉｎｇ  Ｔｅｃｈｎｏｌｏｇｙ）を用いて形成されてもよい。
【００５１】
図１３に示すように、カバー４は、一端部４４１と他端部４４２とを有するカバー主部４０と、一端部４４１に形成された筒状の取付部４５とを備える。カバー４は、取付部４５が係合溝部３４に挿入された状態で本体部３に取り付けらる。
【００５２】
カバー主部４０は、一端部４４１に凹部４８０を有すると共に、一端部４４１から他端部４４２に向かって窄むように形成されている。
図１５の（ａ）に示すように、凹部４８０は、曲率Ｒ４で滑らかに凹んだ曲面により形成される。
【００５３】
カバー主部４０は、一端部４４１が開口し他端部４４２が閉口した筒形である。詳しくは、カバー主部４０は、下端部４４が最大径Ｗ５３であり他端側に向かって徐々に縮径するように形成され、本体部３の光源配置部３０を覆う。カバー主部４０は、他端側から配された第１主部４１、第２主部４２、第３主部４７、および第４主部４８を備える。
カバー主部４０は、光源部６と対向する第１主部４１と、一端部４４１から一端部４４１と他端部４４２との中間まで形成された第４主部４８と、第４主部４８から第１主部に向かって形成された第３主部４７と、第３主部４７と第１主部４１とをつなぐ第２主部４２とを備える。第４主部４８には、曲率Ｒ４で滑らかに凹んだ曲面である凹部４８０が形成されている。
【００５４】
実施の形態１のカバー４は、カバー主部４０と下端部４４と取付部４５とが一つの部品として一体に成形されているが、これに限らず複数の部品を組み合わせて一体的に形成されたものであってもよい。
【００５５】
図１５の（ａ）に示すように、第１主部４１は、曲率Ｒ１で外側に膨らんだ形状である。
第２主部４２は、曲率Ｒ２で外側に膨らんだ形状である。
第３主部４７は、第４主部４８から第２主部４２に向かう方向に徐々に傾斜した形状である。すなわち、第３主部４７は、窄んだり膨らんだりせずに、第２主部の下端から第４主部４８に向かって徐々に拡径した形状である。
第４主部４８は、曲率Ｒ４で内側に窄んだ形状である。すなわち、第４主部４８は、曲率Ｒ４で滑らかに凹んだ曲面を成す形状である。
カバー４が本体部３に取り付けられると、第４主部４８と本体部３の第１錐状部３７０とは、本体部３の上面縁部３４６を基準に上限方向のバランスが考慮された曲面を構成し、意匠性に優れた外観を提供する。本体部３の上面縁部３４６は、第４主部４８と第１錐状部３７０の間において、曲率Ｒ４の曲面どうしの境界であり外側に向かって張り出した形状を成し外観上のアクセントとなっている。
【００５６】
なお、Ｒ１，Ｒ２，Ｒ４の関係は、例えば、Ｒ１≧Ｒ２、Ｒ４≧Ｒ２となる。
【００５７】
カバー４は、第２主部４２が、第１主部４１と第３主部４７との間に配置されており、他端側の張出量を抑制している。このため、照明器具に対する着脱性が向上する。第１主部４１の最大径Ｗ５１と第２主部４２の最大径Ｗ５２との関係は、例えば、Ｗ５１≦Ｗ５２÷２である。
【００５８】
図１５の（ｃ），（ｄ）に示すように、カバー４は、第３主部４７の外周面は中心軸０に直交する仮想面に対して傾斜角度θ１で傾斜している。また、内周面は中心軸０に直交する仮想面に対して傾斜角度θ２で傾斜している。カバー４が射出成形法を用いて形成される場合には、２つの傾斜角度θ１，θ２は９０°より小さい角度であることが好ましい。
なお、実施の形態１において、傾斜角度θ１は傾斜角度θ２とは同じ大きさであるが、カバー４は２つの傾斜角度が異なる角度で形成されてもよい。
【００５９】
カバー主部４０は、一端部４４１の側の厚み寸法が他端部４４２の側の厚み寸法より大きい。具体的には、第４主部４８において、一端部４４１の側の厚み寸法が他端部４４２の側の厚み寸法より大きい。
【００６０】
図１５の（ｃ），（ｄ）に示すように、カバー４は、カバー主部４０のうち第１主部４１、第２主部４２、および第３主部４７は同じ厚み寸法Ｔ１で形成されている。そして、第４主部４８は、第３主部側から下端部４４に向かって徐々に厚み寸法が大きくなるように形成されている。光源素子６７に近い第４主部４８から照射される光のみが極端に明るくなることを抑制し、カバー４から照射される光を全体に均一にする効果を得る。また、光源素子６７から出射される直進性が強い直接光による眩しさや粒状感を軽減する効果を得る。
なお、第１主部４１、第２主部４２、および第３主部４７の厚み寸法は、光源素子６７の配置、カバー４の寸法などに応じて異なる厚み寸法としてもよい。第３主部４７から第４主部４８にかけて徐々に厚み寸法が大きくなる構成でもよい。また、上述した効果と異なる効果を得る場合にも、異なる厚み寸法としてもよい。
【００６１】
一端部４４１の最下端である下端部４４は、カバー４が本体部３に取り付けられる際に、本体部３の上面部３４７（当接部）と接する部分である。
図１５に示すように、カバー４は、一端部４４１から他端部４４２に向かって窄むように形成されているので、一端部４４１の最下端である下端部４４の最大外径Ｗ５３は、カバー主部４０の最大外径である。本体部３は、上面部３４７（当接部）から窄むように形成された外周部３７３を有するので、上面部３４７（当接部）の最大外径Ｗ１１が本体部３の最大外径である。
ここで、下端部４４の最大外径Ｗ５３は、本体部３の最大外径Ｗ１１（図１０の（ａ）等参照）より若干小さいことが好ましい。
【００６２】
図１４の（ｂ）に示すように、カバー４の下端部４４には、最大口径Ｗ１０の開口部４４０が形成される。カバー４が本体部３に取り付けられると、開口部４４０の位置と同じ高さの位置に光源部６が配置されるため、カバー主部４０により光源部６が覆われる。
【００６３】
ここで、前述の通り、本体部３は、ＬＥＤを光源として用い、カバー４を除く外形がＪＩＳに定義されている一般照明用白熱電球（エジソン電球）と略同一のフォルムを有する電球形ランプにも用いることができるように形成されている。つまり、カバー４は、ＬＥＤを光源として用い、カバー４を除く外形がＪＩＳに定義されている一般照明用白熱電球（エジソン電球）と略同一のフォルムを有する電球形ランプにも用いることができるように形成された本体部３に取り付けられ、一般照明用白熱電球（エジソン電球）とは異なる外形である灯具１００（電球形ランプ）を製造するために用いられるカバーである。
【００６４】
取付部４５は、開口部４４０の周縁から筒状に突き出した形状である。取付部４５は、本体部３の係合溝部３４に挿入される。取付部４５の最大外径Ｗ７は、カバー主部４０の最大外径Ｗ５３よりも小さく形成される。すなわち、取付部４５の最大外径Ｗ７は、下端部４４の最大外径Ｗ５３よりも小さく形成される。
【００６５】
取付部４５は、下端部４４から突き出た筒部４５０と、筒部４５０の下端部から外側に突き出した鍔部４５１とを有する。本実施の形態においては、鍔部４５１は無くても構わない。なお、取付部４５の最大外径Ｗ７は、鍔部４５１の最大外径を指すものとする。
カバー主部４０は、取付部４５と一体に形成されると共に、最大外径Ｗ５３が取付部４５の最大外径Ｗ７より大きい。
【００６６】
図１６に示すように、取付部４５は、筒部４５０と鍔部４５１とを有する。筒部４５０の外周面である筒部外周面部４５０１は、取付部４５の筒状の周面の一例である。
取付部４５の鍔部４５１は、鍔部４５１の外周面となる鍔部外周面部４５２と、筒部４５０から立ち上がり鍔部外周面部４５２に連続する鍔部上面部４５３と、鍔部下面部４５９とを有する。
【００６７】
取付部４５は、筒状の周面である筒部外周面部４５０１から突き出した係合突起部４６であって弾性体により形成された係合突起部４６を有する。
係合突起部４６は、係合溝部３４に挿入された状態で、係合溝部３４の側壁である側壁外周部３４１と対向し、側壁外周部３４１により弾性変形される。
係合突起部４６では、弾性変形をする材料、形状が決定される。また、係合突起部４６は、側壁外周部３４１よりも柔らかい材料が好適である。
【００６８】
係合突起部４６は、筒部外周面部４５０１及び鍔部外周面部４５２から外側に突き出している。
図１６に示すように、係合突起部４６は、筒部外周面部４５０１から立ち上がる突起上面部４６７と、筒部外周面部４５０１及び鍔部外周面部４５２から立ち上がる一対の突起側面部４６８と、係合突起部４６の外周面である突起外周面部４６５と、突起下面部４６９とを有する。突起外周面部４６５は、下方に向かって広がるように傾斜する。突起外周面部４６５と突起下面部４６９との境界が、係合突起部４６において最も外側に突き出た突起先端部４６６である。突起下面部４６９は、鍔部下面部４５９から突起先端部４６６に向かって滑らかな曲面を成す。
なお、突起先端部４６６が鍔部下面部４５９と同じ高さにあり、突起下面部４６９が鍔部下面部４５９と連続する平面状であってもよい。
【００６９】
取付部４５は、周面に係合突起部４６を少なくとも２つ有する。図１４の（ｂ）に示すように、取付部４５の筒状の直径上において対向する２箇所に設けられる。よって、鍔部４５１の最大外径Ｗ７は、係合突起部４６を含めた取付部４５の最大外径Ｗ６より若干小さくなる（Ｗ６＞Ｗ７）。
係合突起部４６を収容する本体部３の挿入切欠き部３５は、取付部４５が係合溝部３４に挿入される際に側壁３４９において係合突起部４６に対応する位置に形成される。
【００７０】
図示は省略するが、カバー４は、係合突起部４６の上部のカバー主部４０の表面に、係合突起部４６の位置を示すガイドマークを有していてもよい。ガイドマークは、係合突起部４６の位置を作業者に認識させるためのマークである。灯具１００の光学性能及び意匠性等を考慮すると、ガイドマークはカバー主部４０の下端部寄り、すなわち第４主部４８に設けられることが好ましい。ガイドマークは、成形による立体形状、印刷、刻印などにより設けられていてもよい。
【００７１】
＜本体部３とカバー４との取付け構造について＞
図１７は、本実施の形態に係る本体部３とカバー４との取付け構造を示す図であり、（ａ）が挿入切欠き部３５に係合突起部４６を挿入する状態を示す図、（ｂ）が挿入切欠き部３５に係合突起部４６を挿入した状態を示す図である。
図１８は、本実施の形態に係る本体部３とカバー４との取付け構造を示す図であり、挿入切欠き部３５に係合突起部４６を挿入した後にカバー４を回転した状態を示す図である。
【００７２】
図１７及び図１８を用いて、本体部３とカバー４との取付け手順について説明する。
（１）作業者は、ガイドマークにより係合突起部４６の位置を確認し、係合突起部４６を本体部３の係合溝部３４の挿入切欠き部３５の位置に合わせながら、取付部４５を係合溝部３４に挿入する。図１７の（ａ），（ｂ）は（１）の手順を示している。
このとき、図１７の（ｂ）に示すように、係合突起部４６の突起外周面部４６５は、係合溝部３４の側壁外周部３４１よりも外側に位置している。すなわち、係合突起部４６の厚みは、対応する側壁外周部３４１と側壁内周部３４０との間隔よりも大きい。
つまり、取付部４５の下端部における、カバー中心軸から係合突起部４６の外周までの最短距離は、本体中心軸から挿入切欠き部３５の外壁である切欠き外周部３５０までの最短距離より若干小さい。また、取付部４５の下端部における、カバー中心軸から係合突起部４６の外周までの最短距離は、本体中心軸から係合溝部３４の側壁外周部３４１までの最短距離より若干大きい。
【００７３】
（２）次に、作業者は、カバー４をＴ１方向に回転させる。あるいは、作業者は、本体部３をＴ２方向に回転させる。作業者は、カバー４をＴ１方向に回転させると共に、本体部３をＴ２方向に回転させてもよい。
この回転により、係合突起部４６は、本体部３の係合溝部３４における挿入切欠き部３５の位置から、側壁外周部３４１と側壁内周部３４０とに挟まれた位置に移動する。図１８は（２）の手順後を示している。
【００７４】
上述したように、係合突起部４６の厚みは側壁外周部３４１と側壁内周部３４０との間隔よりも大きいので、係合突起部４６が側壁外周部３４１と側壁内周部３４０との間に圧入される。係合突起部４６が側壁外周部３４１と側壁内周部３４０との間に圧入されると、係合突起部４６は、係合溝部３４の側壁である側壁外周部３４１と対向した状態で側壁により弾性変形される。
【００７５】
図１８に示すように、突起外周面部４６５は、係合溝部３４の側壁外周部３４１によりＰ方向に押圧される。すなわち、係合突起部４６が若干弾性変形した状態で、突起外周面部４６５または突起先端部４６６が係合溝部３４の側壁外周部３４１に押し付けられる。突起外周面部４６５または突起先端部４６６は、矢印Ｐの向きに押し返される。このようにして係合突起部４６は係合溝部３４によって係止され、カバー４は本体部３と強く密着する。
【００７６】
以上のように、カバー４の取付部４５が、挿入切欠き部３５に係合突起部４６を収容しながら係合溝部３４に挿入された状態から係合溝部３４の周方向（溝方向ともいう）に回転すると、係合突起部４６は、取付部４５の回転にしたがって挿入切欠き部３５の位置から側壁である側壁外周部３４１と対向した位置に移動する。
係合突起部４６は、側壁外周部３４１と対向する位置において、側壁外周部３４１により弾性変形するため、少なくとも側壁外周部３４１は係合突起部４６よりも硬い材料であることが好適である。
【００７７】
ここで、前述の通り、本体部３は、ＬＥＤを光源として用い、カバー４を除く外形がＪＩＳに定義されている一般照明用白熱電球（エジソン電球）と略同一のフォルムを有する電球形ランプにも用いることができるように形成されている。つまり、カバー４は、ＬＥＤを光源として用い、カバー４を除く外形がＪＩＳに定義されている一般照明用白熱電球（エジソン電球）と略同一のフォルムを有する電球形ランプにも用いることができるように形成された本体部３に取り付けられ、一般照明用白熱電球（エジソン電球）とは異なる外形形状である灯具１００（電球形ランプ）を製造するために用いられるカバーである。このため、取付部４５は、異なる主部を有する他のカバーと同一の構成としており、本体部３とカバー４との取付け構造についても同一のとすることができる。
【００７８】
＜灯具１００の形状について＞
次に、図４を用いて、灯具１００の形状について説明する。
本実施の形態に係る灯具１００は、例えば、発光管が長手方向に沿って配置された電球形蛍光ランプと、包絡形状と長手方向における発光部分の比率が略同じである電球形ＬＥＤランプであり、その形状は以下の通りである。
（ａ）カバー主部４０の高さ寸法Ｌ２は、灯具１００の高さ寸法Ｌ１の４５％以上である。
（ｂ）本体部３の高さ寸法Ｌ３は、灯具１００の高さ寸法Ｌ１の２５％以下である。
（ｃ）カバー主部４０の高さ寸法Ｌ２は、本体部３の高さ寸法Ｌ３より大きい。
（ｄ）本体部３の高さ寸法Ｌ３は、カバー主部４０の高さ寸法Ｌ２の５０％以下である。（ｅ）カバー主部４０は下端部４４が最大径となっており、カバー主部４０の最大径寸法Ｗ５３は、本体部３の最大径寸法Ｗ１１より小さい（Ｗ５３＜Ｗ１１）。
（ｆ）カバー主部４０の最大径寸法Ｗ５３は、本体部３の最大径寸法Ｗ１１の９９％以下である。これによりカバー４の下端部４４が本体部３の上面縁部３４６の外側にはみ出すことがない。
（ｇ）カバー主部４０の包絡体積は、本体部３の包絡体積より大きい。
（ｈ）カバー主部４０において、第１主部４１と第２主部４２との部分の高さ寸法Ｌ６は、第３主部４７の高さ寸法Ｌ７より小さい（Ｌ６＜Ｌ７）。
（ｉ）カバー主部４０において、第４主部４８の高さ寸法Ｌ８は、第３主部４７の高さ寸法Ｌ７より小さい（Ｌ８＜Ｌ７）。
（ｊ）カバー主部４０において、第１主部４１と第２主部４２との部分の高さ寸法Ｌ６は、第４主部４８の高さ寸法Ｌ８より大きい（Ｌ６＞Ｌ８）。
（ｋ）光源部６（発光部）がカバー主部４０の下端部４４と同じ高さになる位置に配置（実装）される。
（ｌ）本体部３の最大径寸法Ｗ１１は、本体部３の高さ寸法Ｌ３と鍔部２１１の高さ寸法Ｌ４とを合わせた高さ（Ｌ３＋Ｌ４）以上である（Ｗ１１≧Ｌ３＋Ｌ４）。
（ｍ）カバー主部４０の高さ寸法Ｌ２は、本体部３の高さ寸法Ｌ３と鍔部２１１の高さ寸法Ｌ４と口金１の高さ寸法Ｌ５とを合わせた高さ（Ｌ３＋Ｌ４＋Ｌ５）の９０％以上である（Ｌ２≧０．９×（Ｌ３＋Ｌ４＋Ｌ５））。カバー主部の高さ寸法Ｌ２は、口金１が配置された本体部３において上面部３４７（当接部）から口金１の先端部（最下端）までの高さ寸法（Ｌ３＋Ｌ４＋Ｌ５）の９０％以上である。
（ｎ）光源部６（発光部）の発光中心（光源）は本体部３の最小径領域の１２０％以内の領域に配置される。これにより、光源素子６７から出射する光をカバー４の第１主部４１から第３主部４７にかけて効率よく照射させて光の利用効率を向上させることができる。また、カバーを除く外形がＪＩＳに定義されている一般照明用白熱電球（エジソン電球）と略同一のフォルムを有する電球形ランプに光源部６（発光部）を用いた場合に口金１側への配光が向上する。
なお、実施の形態に係る灯具１００は、上述のように、灯具（電球形ランプ）全体における本体部３の占める高さ寸法の割合が低く抑えられている。このため、本体部３の筒部３７の内部に収容される絶縁部２について、蓋部２６の厚さ寸法を最小化（フィルム化、シート化）することによって、電源部５が収納される絶縁部２の筒部２０の容積を確保しながら本体部３の高さ寸法Ｌ３を小さくすることができる。
【００７９】
また、より具体的には、本実施の形態に係る灯具１００は以下のような特徴を有することが好ましい。
（Ａ）外形が、長手方向に沿って発光管が配置された電球形蛍光ランプの包絡形状と略同じであること。
（Ｂ）長手方向において発光部分が占める長さの比率が略同じであること。
（Ｃ）本体部３の外形がＪＩＳに定義されている一般照明用白熱電球（エジソン電球）と完全同一フォルムであること。
（Ｄ）白熱電球用の照明器具に取り付けが可能であること。
（Ｅ）発光管がスパイラルタイプある電球形蛍光ランプ用の照明器具に取り付けが可能であること。
（Ｆ）発光管が長手方向に沿って配置された電球形蛍光ランプ用の照明器具に取り付けが可能であること。
（Ｇ）全体のバランスが良く、意匠性に優れた外径形状であること。
【００８０】
＊＊＊本実施の形態の効果の説明＊＊＊
以上のように、本実施の形態に係る灯具１００によれば、カバー主部４０が光源部６近傍となる一端部４４１に滑らかに凹んだ凹部４８０を有するので、コスト削減を図ることができると共に、光の取り出し効率を向上させることができる。すなわち、ダウンライト装置への装着性の改善を最少のコスト負担で実現し得る電球形ランプである灯具を提供することができる。
【００８１】
また、本実施の形態に係る灯具１００では、第２主部４２が、第１主部４１と第３主部４７との間に配置されており、他端側の張出量を抑制しているので、照明器具に対する着脱性が向上する。
また、本実施の形態に係る灯具１００では、第３主部４７の傾斜角度θ１，θ２を９０°より小さい角度にすることにより、カバー４を射出成形法により容易に形成することができる。
また、本実施の形態に係る灯具１００では、第４主部４８と本体部３の第１錐状部３７０とが、本体部３の上面縁部３４６を基準に上限方向のバランスが考慮された曲面を構成するので、意匠性に優れた外観を提供する。また、第４主部４８が光源部６近傍に滑らかに凹んだ凹部４８０を有するので、光の取り出し効率を向上させることができる。また、第４主部４８の厚みが第３主部４７側から下端部４４に向かって徐々に厚くなるように形成されているので、光源素子６７に近い第４主部４８から照射される光のみが極端に明るくなることを抑制することができる。また、カバー４から照射される光を全体に均一にすると共に、光源素子６７から出射される直進性が強い直接光による眩しさや粒状感を軽減する。
【００８２】
また、本実施の形態に係る灯具１００では、取付部４５の係合突起部４６が本体部３の挿入切欠き部３５に沿うように中心軸方向に挿入され、カバー４を本体部３へ押付けた状態で、カバー４または本体部３を中心軸を基準に回転させる。そして、係合突起部４６が挿入切欠き部３５から係合溝部３４に移動した位置で回転を停止する。このようにカバー４が本体部３に取り付けられた状態では、取付部４５の係合突起部４６が若干弾性変形した状態となっており、係合突起部４６の弾性力によって係合突起部４６の突起先端部４６６が係合溝部３４の若干傾斜した側壁外周部３４１に押し付けられる。このとき、カバー４は、若干傾斜した側壁外周部３４１の反力を受けるので、係合突起部４６が本体部３の係合溝部３４の下端部に向って押し戻される。つまり、カバー４は本体部３に密着して取り付けられることになり、本体部３に取り付けられたカバー４は、本体部３から外れるおそれがない。
【００８３】
また、本実施の形態において、灯具（電球形ランプ）１００全体における本体部（ヒートシンク）３の占める割合が低く抑えられているので、灯具１００は軽量化できる。そして、カバー４は相対的に大きくなるため重くなり、相対的に小さくなる本体部３に対して確実に取り付ける必要がある。そこで、本実施の形態に係る取付け構造によれば、灯具１００のカバー４と本体部３とはより確実に取り付けられるため、本体部３に取り付けられたカバー４が相対的に重くなっても本体部３から外れるおそれがない。
【００８４】
また、本実施の形態に係る灯具１００では、カバー主部４０と取付部４５とが１つの部品で形成されているため、製造コストを削減できると共に、製造品質も向上させることができる。
また、外観意匠部品であり光を透過する光学部品であるカバーは、照明装置（ランプ）にとって最も重要な部品であり、カバーの表面に固着痕を残す製造方法は、意匠性、光学特性を損なうおそれがある、本実施の形態に係る灯具１００では、カバー主部４０と取付部４５とが１つの部品として形成されているため、意匠性、光学特性を損なうおそれがない。
このように、本実施の形態に係る灯具１００によれば、簡単な構成によりカバー４と本体部３とを確実に接合することができるので、製造コストを削減できる。また、カバー４は１つの部品により形成されているので、製造品質も向上させると共に、意匠性、光学特性を損なうおそれがない。
【００８５】
取付部４５と本体部３とが取り付けられる部分は、カバー４の最大径となり、光源素子（ＬＥＤ）６７は本体部（ヒートシンク）３のカバー４に覆われる部分に形成された光源配置部３０に配置（実装）される。そこで、光源素子６７から出射する光をカバー４の第１主部４１から第３主部４７にかけて効率よく照射させて光の利用効率を向上させるためには、光源素子（ＬＥＤ）６７は光源配置部３０のなるべく外縁側に配置（実装）されることが好ましい。このため、取付部４５は、光源配置部３０の更に外縁部の極々限られた領域に取り付ける必要がある。
本実施の形態に係る本体部３とカバー４との取付け構造によれば、取付部４５の周面から突出した係合突起部４６を弾性変形させて係合溝部３４の側壁外周部３４１に密着させるので、係合溝部３４の幅を小さくして、光源配置部３０の面積を大きくすることができる。
なお、本体部に対するカバーの寸法は、例えば摂氏２５度以上の環境で調整し、灯具１００を点灯させたときにカバー４が若干熱膨張するようにすれば、少なくとも灯具１００に通電させているときにカバー４が落下するおそれがない。
【００８６】
＊＊＊他の構成＊＊＊
本実施の形態では、係合突起部は、取付部の外側の周面である筒部外周面部から突出するように形成されていた。しかし、係合突起部が取付部の内側の周面から内側に突出するように取り付けられていてもよい。あるいは、取付部の両側の周面から突出していてもよい。
例えば、係合突起部が取付部の内側の周面から突出する場合、係合突起部を側壁内周部に形成された凹みであるネジ貫通孔に沿わせながら、取付部を係合溝部に挿入する。その後、カバーを回転させて、係合突起部が側壁内周部に対向する位置まで移動させる。このとき、本実施の形態と同様に、側壁内周部により係合突起部が弾性変形され、カバーと本体部とが密着する。
また、例えば、係合突起部が取付部の両側の周面から突出する場合、係合突起部を側壁外周部に形成された挿入切欠き部と側壁内周部に形成されたネジ貫通孔とに沿わせながら、取付部を係合溝部に挿入する。その後、カバーを回転させて、係合突起部が側壁外周部と側壁内周部とに挟まれる位置まで移動させる。このとき、本実施の形態と同様に、側壁外周部と側壁内周部とに挟まれ係合突起部が弾性変形され、カバーと本体部とが密着する。
【００８７】
また、本実施の形態では光源素子６７としてＬＥＤを用いているが、ＬＥＤ以外の光源素子を用いてもよい。具体的には、光源素子として、有機ＥＬあるいはレーザーを用いてもよい。
本実施の形態では、カバーと本体部との取付け構造について、ＬＥＤを光源として用いた白熱電球と同一フォルムの電球形ランプを例として説明したが、その他の形態の電球形ランプでも適用可能である。例えば、ＬＥＤを光源として用いたミニクリプトンタイプの小型電球でも適用可能である。
【００８８】
実施の形態２．
本実施の形態では、主に、実施の形態１と異なる点について説明する。
図１９は、本実施の形態に係る灯具１００の部分拡大断面図である。図１９では、本体部３の係合溝部３４と、取付部４５のうち係合突起部４６が設けられていない部分との係合状態を示している。
図１９において、実施の形態１と同様の構成部については同一の符号を付し、その説明を省略するものとする。
【００８９】
本実施の形態に係る取付部４５と係合溝部３４との取付け構造は、係合溝部３４に接着剤８を充填するものである。
図１９に示すように、取付部４５を係合溝部３４に接着固定する場合に、硬化した接着剤８が取付部４５の鍔部４５１を抱え込んで保持する。筒部外周面部４５０１と鍔部上面部４５３と鍔部外周面部４５２とにより形成されるくぼみ部分に接着剤８が入り込んで硬化することで接着力が高まるアンカー効果を増大させることができる。
【００９０】
実施の形態３．
本実施の形態では、主に、実施の形態１と異なる点について説明する。
本実施の形態において、実施の形態１，２と同様の構成には同一の符号を付し、その説明を省略する。
図２０は、本実施の形態に係る灯具１００ａの斜視図であり、（ａ）が口金１の側から見た斜視図、（ｂ）がカバー４ａの側から見た斜視図である。
図２１は、本実施の形態に係る灯具１００ａの部分断面図と、部分断面図のＤ部拡大図である。
【００９１】
図２０に示すように、本実施の形態に係る灯具１００ａでは、カバー４ａと本体部３ａの形状が実施の形態１と異なる。
【００９２】
本実施の形態に係るカバー４ａは、実施の形態１の第４主部４８よりも高さ寸法が小さい第４主部４８ａを有する。また、第４主部４８ａは、凹部４８０ａを有する。
図２１のＤ部拡大図に示すように、第４主部４８ａの高さ寸法はＬ１１である。第４主部４８ａの高さ寸法Ｌ１１は、実施の形態１の第４主部４８の高さ寸法Ｌ８より小さい（Ｌ８＞Ｌ１１）。
第３主部４７は、本体部３ａの上面部３４７近傍まで形成され、本体部３ａの上面部３４７からＬ１１離れた位置近傍から曲率Ｒ６の凹部４８０ａが形成される。ここで、曲率Ｒ６と第４主部４８ａの高さ寸法はＬ１１との関係はＲ６≧Ｌ１１である。Ｄ部拡大図において、点線の部分が実施の形態１のカバー４及び本体部３である。
【００９３】
本実施の形態に係る本体部３ａは、第１錐状部３７０の上端部３７０１から上面部３４７に向かって形成された立設部３７００を有する。立設部３７００は、上面部３４７に対して略垂直に形成されている。
このとき、カバー４ａの最大外径Ｗ４１は、本体部３ａの最大外径Ｗ７１より若干小さい（Ｗ４１＜Ｗ７１）。
【００９４】
本実施の形態に係るカバー４ａによれば、厚み寸法が大きくなる第４主部４８ａの高さを低く抑えることができるので、光の利用率を向上させることができ、相対的に第４主部４８ａ付近の明るさを向上させることができるという光学的な効果がある。また、第４主部４８ａ付近でカバー４ａが小型化できることによる経済的な効果がある。また、カバー４ａが軽量化できることにより取付け品質が向上するという効果がある。
【００９５】
また、本実施の形態に係る本体部３ａによれば、小型化できることによる経済的な効果、及び、軽量化できることにより輸送品質が向上するという効果がある。また、本体部３ａは、実施の形態１と同じ金型を用いて成形した後に切削工程を追加することのみによって形成できるので、カバー４ａを除く外形がＪＩＳに定義されている一般照明用白熱電球（エジソン電球）と略同一のフォルムを有する電球形ランプにも用いることができるように形成された本体部３と同じ金型を用いることができ、金型投資の抑制効果がある。
【００９６】
実施の形態４．
本実施の形態では、主に、実施の形態３と異なる点について説明する。
本実施の形態において、実施の形態１から３と同様の構成には同一の符号を付し、その説明を省略する。
図２２は、本実施の形態に係る灯具１００ｂの斜視図であり、（ａ）が口金１の側から見た斜視図、（ｂ）がカバー４ｂの側から見た斜視図である。
図２３は、本実施の形態に係る灯具１００ｂの部分断面図と、部分断面図のＥ部拡大図である。
【００９７】
図２２に示すように、本実施の形態に係る灯具１００ｂでは、カバー４ｂの形状が実施の形態１と異なる。また、本実施の形態では、本体部３ａの形状は実施の形態３で説明したものと同様である。
【００９８】
本実施の形態に係るカバー４ｂは、実施の形態１の第４主部４８よりも高さ寸法が小さい第４主部４８ｂを有する。また、第４主部４８ｂは、凹部４８０ｂと、凸部４８２とを有する。すなわち、カバー４ｂのカバー主部４０は、一端部４４１に凸部４８２を有する。凸部４８２は、滑らかに突き出た曲面により形成されている。また、凹部４８０ｂも滑らかに凹んだ曲面により形成されている。
図２３のＥ部拡大図に示すように、カバー４ｂのカバー主部４０は、一端部４４１の最下端である下端部４４から凸部４８２及び凹部４８０ｂにかけて、略Ｓ字状の滑らかな曲線を描くように形成される。
【００９９】
図２３のＥ部拡大図に示すように、第４主部４８ｂの高さ寸法はＬ１２である。第４主部４８ｂの高さ寸法Ｌ１２は、実施の形態１の第４主部４８ｂの高さ寸法Ｌ８より小さい（Ｌ８＞Ｌ１２）。
第３主部４７は本体部３ａの上面部３４７近傍まで形成され、第３主部４７の下端から曲率Ｒ７の凹部４８０ｂが形成される。また、凹部４８０ｂの下端から下端部４４に向かって曲率Ｒ８の凸部４８２が形成される。このように、第４主部４８ｂは断面が略Ｓ字形状をなす。
なお、第４主部４８ｂの凹部４８０ｂの曲率Ｒ７と、第４主部４８ｂの凸部４８２の曲率Ｒ８と、実施の形態３で説明した第４主部４８ａの曲率Ｒ６との関係は、Ｒ７≦Ｒ６、Ｒ８≦Ｒ６となる。Ｅ部拡大図において、点線の部分が実施の形態１のカバー４及び本体部３である。
【０１００】
また、カバー４ｂの最大外径Ｗ４２は、本体部３ａの最大外径Ｗ７１より若干小さい（Ｗ４２＜Ｗ７１）。
【０１０１】
本実施の形態に係るカバー４ｂによれば、厚み寸法が大きくなる第４主部４８ｂの高さを低く抑えることができるので、光の利用率を向上させることができ、相対的に第４主部４８ｂ付近の明るさを向上させることができる光学的な効果がある。また、第４主部４８ｂ付近でカバー４ｂを小型化できることにより経済的な効果がある。また、カバー４ｂが軽量化できることにより取付け品質が向上する効果がある。また、本実施の形態に係るカバー４ｂは凸部４８２を設けているので、カバー全体の剛性を向上させることができるという効果がある。
【０１０２】
実施の形態５．
本実施の形態では、主に、実施の形態３と異なる点について説明する。
本実施の形態において、実施の形態１から４と同様の構成には同一の符号を付し、その説明を省略する。
図２４は、本実施の形態に係る灯具１００ｃの斜視図であり、（ａ）が口金１の側から見た斜視図、（ｂ）がカバー４ａの側から見た斜視図である。
図２５は、本実施の形態に係る灯具１００ｃの部分断面図と、部分断面図のＦ部拡大図である。
【０１０３】
図２４に示すように、本実施の形態に係る灯具１００ｃでは、本体部３ｂの形状が実施の形態３と異なる。また、本実施の形態では、カバー４ａの形状は実施の形態３で説明したものと同様である。
【０１０４】
本実施の形態に係る本体部３ｂは、第１錐状部３７０の上端部３７０１から立設部３７００にかけて曲率Ｒ９の曲部３７０２を有する。つまり、第１錐状部３７０と立設部３７００との境界が角部ではなくＲが形成されている。
なお、曲率Ｒ９は実施の形態３で説明した凹部４８０ａの曲率Ｒ６より大きい（Ｒ９＞Ｒ６）。また、曲率Ｒ９は実施の形態３で説明した第４主部４８ａの高さ寸法Ｌ１１より大きい。
【０１０５】
また、カバー４ａの最大外径Ｗ４１は、本体部３ｂの最大外径Ｗ７２より若干小さい（Ｗ４１＜Ｗ７２）。Ｆ部拡大図において、点線の部分が実施の形態１のカバー４及び本体部３である。
【０１０６】
本実施の形態に係る本体部３ｂによれば、小型化できることによる経済的な効果、及び、軽量化できることにより輸送品質が向上する効果がある。また、第１錐状部３７０と立設部３７００との境界にＲが形成されるので、本体部３ｂの外観が滑らかに形成され、意匠性が向上する効果がある。また、本体部３ｂは、実施の形態１と同じ金型を用いて成形した後に切削工程を追加することのみによって形成できるので、カバー４ａを除く外形がＪＩＳに定義されている一般照明用白熱電球（エジソン電球）と略同一のフォルムを有する電球形ランプにも用いることができるように形成された本体部３と同じ金型を用いることができ、金型投資の抑制効果が期待できる。
【０１０７】
実施の形態６．
本実施の形態では、主に、実施の形態４，５と異なる点について説明する。
本実施の形態において、実施の形態１から５と同様の構成には同一の符号を付し、その説明を省略する。
図２６は、本実施の形態に係る灯具１００ｄの斜視図であり、（ａ）が口金１の側から見た斜視図、（ｂ）がカバー４ｂの側から見た斜視図である。
図２７は、本実施の形態に係る灯具１００ｄの部分断面図と、部分断面図のＧ部拡大図である。
【０１０８】
図２６に示すように、本実施の形態に係る灯具１００ｄでは、カバー４ｂと、本体部３ｂとを有する。カバー４ｂは、実施の形態４で説明したものと同様である。本体部３ｂは実施の形態５で説明したものと同様である。
【０１０９】
なお、曲率Ｒ９は実施の形態４で説明した凹部４８０ｂの曲率Ｒ７より大きい（Ｒ９＞Ｒ６）。また、曲率Ｒ９は実施の形態４で説明した凸部４８２の曲率Ｒ８より大きい（Ｒ９＞Ｒ８）。また、曲率Ｒ９は実施の形態３で説明した第４主部４８ａの高さ寸法Ｌ１１より大きい（Ｒ９＞Ｌ１１）。
【０１１０】
また、カバー４ｂの最大外径Ｗ４２は、本体部３ｂの最大外径Ｗ７２より若干小さい（Ｗ４２＜Ｗ７２）。Ｇ部拡大図において、点線の部分が実施の形態１のカバー４及び本体部３である。
【０１１１】
なお、本実施の形態に係るカバー４ｂ及び本体部３ｂの効果は、実施の形態４及び５で説明したものと同様である。
【０１１２】
実施の形態７．
本実施の形態では、主に、実施の形態１から６と異なる点について説明する。
図２８は、実施の形態３に係る灯具１００ａを埋め込みタイプの照明器具２０００に装着した照明装置３０００を示す図である。
図２８において、実施の形態１から６と同様の構成部については同一の符号を付し、その説明を省略するものとする。
【０１１３】
照明器具２０００は、天井面などの取付部（造営部）６０００に設けられた取付孔７０００に、取付金具２００５により取り付けられる。
照明器具２０００は、反射板枠２００１、器具本体２００２、ソケットホルダ２００３、ソケット２００４、端子台２００６などを備える。
灯具１００ａは、照明器具２０００のソケット２００４に装着される。
本実施の形態において、照明器具２０００に取り付けられる灯具１００ａは小型化されているので、灯具を斜め方向に着脱する照明器具２０００への着脱性が向上する。また、灯具１００ａは軽量化されているので、照明器具２０００への負担が軽減される。
【０１１４】
実施の形態８．
本実施の形態では、主に、実施の形態７と異なる点について説明する。
図２９は、実施の形態３に係る灯具１００ａを、実施の形態７とは異なる埋め込みタイプの照明器具２０００ａに装着した照明装置３０００ａを示す図である。
図２９において、実施の形態１から８と同様の構成部については同一の符号を付し、その説明を省略するものとする。
【０１１５】
照明器具２０００ａは、天井面などの取付部（造営部）６０００に設けられた取付孔７０００に取り付けられる。
照明器具２０００ａは、反射板枠２００１ａ、器具本体２００２ａ、ソケットホルダ２００３ａ、ソケット２００４ａ、端子台２００６ａなどを備える。
灯具１００ａは、照明器具２０００ａのソケット２００４ａに装着される。
本実施の形態において、照明器具２０００ａに取り付けられる灯具１００ａは小型化されているので、灯具を水平方向に着脱する照明器具２０００ａへの着脱性が向上する。また、灯具１００ａは軽量化されているので、照明器具２０００ａへの負担が軽減される。
【０１１６】
以上、本発明の実施の形態１から８について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。その他、これらの実施の形態を、全体としてあるいは部分的に、どのように組み合わせて実施しても構わない。
なお、上記の実施の形態は、本質的に好ましい例示であって、本発明、その適用物及び用途の範囲を制限することを意図するものではなく、必要に応じて種々の変更が可能である。
【符号の説明】
【０１１７】
１  口金、１０  ネジ部、１２  アイレット部、２  絶縁部、２０  筒部、２１  外周部、２１０  ネジ部、２１１  鍔部、２１２  挿入ガイド凸部、２１３  電線配置溝、２２  内周部、２２０  収容部、２３  リブ、２４  第１開口端部、２４０  通線凹部、２５  第２開口端部、２５０  第１凸部、２５１  ネジ孔、２５２  第２凸部、２６  蓋部、２６０  ネジ貫通部、２６１  電線貫通孔、３，３ａ，３ｂ  本体部、３０  光源配置部、３１  光源配置面部、３２  ネジ貫通孔、３３  電線貫通孔、３４  係合溝部、３４０  側壁内周部、３４１  側壁外周部、３４２  第２外周部、３４４  底部、３４５  開口部、３５  挿入切欠き部、３５０  切欠き外周部、３５１  第１外周部、３５２  第２外周部、３５３  切欠き側壁部、３５４  切欠き底部、３５５  切欠き開口部、３４５  傾斜部、３４６  上面縁部、３４７  上面部、３４９  側壁、３６  内面部、３６０  第１凹部、３６１  第２凹部、３７  筒部、３７０  第１錐状部、３７１  第２錐状部、３７２  第３錐状部、３７３  外周部、３７４  内周部、３７５  挿入ガイド凹部、３７６  開口端部、３７８  空洞部、４，４ａ，４ｂ  カバー、４０  カバー主部、４１  第１主部、４２  第２主部、４４  下端部、４４０  開口部、４４１  一端部、４４２  他端部、４５  取付部、４５０  筒部、４５０１  筒部外周面部、４５１  鍔部、４５２  鍔部外周面部、４５３  鍔部上面部、４５９  鍔部下面部、４６  係合突起部、４６５  突起外周面部、４６６  突起先端部、４６７  突起上面部、４６８  突起側面部、４６９  突起下面部、４７  第３主部、４８，４８ａ，４８ｂ  第４主部、４８０，４８０ａ，４８０ｂ  凹部、４８２  凸部、５  電源部、５０  点灯回路基板、５１  点灯回路部品、６  光源部、６０  光源回路基板、６１  実装部、６２  熱伝達部、６５  ネジ貫通孔、６６  電線挿通孔、６７  光源素子、７  ネジ、８  接着剤、１００，１００ａ，１００ｂ，１００ｃ，１００ｄ  灯具、２０００，２０００ａ  照明器具、２００１，２００１ａ  反射板枠、２００２，２００２ａ  器具本体、２００３，２００３ａ  ソケットホルダ、２００４，２００４ａ  ソケット、２００５  取付金具、２００６，２００６ａ  端子台、３０００，３０００ａ  照明装置、３７００  立設部、３７０１  上端部、３７０２  曲部、６０００  取付部（造営部）、７０００  取付孔。
【図１】
0006752029.tif 000002
【図２】
0006752029.tif 000003
【図３】
0006752029.tif 000004
【図４】
0006752029.tif 000005
【図５】
0006752029.tif 000006
【図６】
0006752029.tif 000007
【図７】
0006752029.tif 000008
【図８】
0006752029.tif 000009
【図９】
0006752029.tif 000010
【図１０】
0006752029.tif 000011
【図１１】
0006752029.tif 000012
【図１２】
0006752029.tif 000013
【図１３】
0006752029.tif 000014
【図１４】
0006752029.tif 000015
【図１５】
0006752029.tif 000016
【図１６】
0006752029.tif 000017
【図１７】
0006752029.tif 000018
【図１８】
0006752029.tif 000019
【図１９】
0006752029.tif 000020
【図２０】
0006752029.tif 000021
【図２１】
0006752029.tif 000022
【図２２】
0006752029.tif 000023
【図２３】
0006752029.tif 000024
【図２４】
0006752029.tif 000025
【図２５】
0006752029.tif 000026
【図２６】
0006752029.tif 000027
【図２７】
0006752029.tif 000028
【図２８】
0006752029.tif 000029
【図２９】
0006752029.tif 000030